(57)【要約】      （修正有）【課題】開閉可能な減圧用開口を備えるドアの開閉を容易にするドアを提供する。【解決手段】ドア本体１０と、減圧用開口閉鎖位置と減圧用開口開放位置との間で変位可能に取り付けられている減圧用パネル２２と、ハンドル３０及びハンドルの回動操作によりドア施錠位置とドア解錠位置との間で変位可能とされたドア本体用ラッチボルト３２を有する、ドア本体１０に取り付けられたドアラッチ装置２６と、ハンドル軸に固定された揺動部材及び、減圧用パネル２２が減圧用開口閉鎖位置にあるときに、ハンドル軸を中心とする揺動部材の揺動に連動してパネル施錠位置とパネル解錠位置との間で変位可能とされた減圧パネル用ラッチボルト４２を備える、ドア本体に取り付けられた減圧用パネルラッチ装置、を有する。【選択図】図１
2019044576.tif 000002
【特許請求の範囲】
【請求項１】
一方の側縁に沿って垂直に延びる第１軸線を中心に枢動可能とされて、ドア開口閉鎖位置とドア開口開放位置との間で変位可能とされたドア本体と、
該ドア本体の表面から裏面に貫通するように設けられた減圧用開口内に設けられる減圧用パネルであって、該ドア本体の該一方の側縁に近い側にある第１側縁と該ドア本体の他方の側縁に近い側にある第２側縁とを有し、該第１側縁及び該第２側縁の間において垂直に延びる第２軸線を中心に枢動可能とされ、減圧用開口閉鎖位置と減圧用開口開放位置との間で変位可能に取り付けられている減圧用パネルと、
該ドア本体の該他方の側縁に隣接して該ドア本体内に取り付けられたドアラッチ装置であって、該ドア本体を該表面から裏面に貫通する方向で水平に延びるように取り付けられ、その長手軸線を中心に回転可能とされたハンドル軸と、該ハンドル軸に固定されたハンドルと、該ドア本体が該ドア開口閉鎖位置にあるときに、該ハンドルを介して回転される該ハンドル軸に連動して該ドア本体の該他方の側縁から外側に突出して該ドア開口を画定しているドア開口側縁に設けられているドア施錠用穴に嵌合するドア施錠位置と、該ドア本体内に引き込められたドア解錠位置との間で変位可能とされたドア本体用ラッチボルトとを有するドアラッチ装置と、
該減圧用パネルが該減圧用開口閉鎖位置にあるときに、該ハンドル軸の回転に連動して該減圧用パネルの側縁に設けられているパネル施錠用穴に嵌合するパネル施錠位置と、該パネル施錠用穴から引き戻されたパネル解錠位置との間で変位可能とされた減圧パネル用ラッチボルトと、
を有する開閉可能の減圧用開口を備えたドア。
【請求項２】
該ハンドル軸に固定されて該ドア本体の該表面及び裏面に平行に該ハンドル軸から離れるように延びる揺動部材を更に有し、
該減圧パネル用ラッチボルトは、該減圧用パネルが該減圧用開口閉鎖位置にあるときに、該ハンドル軸を中心とする該揺動部材の揺動に連動して該パネル施錠位置と、該パネル解錠位置との間で変位可能とされている請求項１に記載のドア。
【請求項３】
該減圧用開口閉鎖位置よりも該減圧用開口開放位置側にある該減圧用パネルを該減圧用開口閉鎖位置に磁力により吸着するための磁石式吸着装置を更に有し、
該磁石式吸着装置は
該減圧用パネルの第２側縁に設けられた第１磁気吸着部材と、
該ドア本体によって支持された第２磁気吸着部材と、
該第２磁気吸着部材を、該減圧用開口閉鎖位置にある該減圧用パネルの該第１磁気吸着部材に当接吸着する吸着位置と、該減圧用開口閉鎖位置にある該減圧用パネルの当該第１磁気吸着部材から引き離した吸着解除位置との間で変位させる第２磁気吸着部材変位装置と、
を有し、
該吸着位置においては該第１及び第２磁気吸着部材がそれぞれの磁極面が当接するようにされており、
該第２磁気吸着部材変位装置は、該吸着位置にある第２磁気吸着部材をその磁極面が第１磁気吸着部材の磁極面に対して摺動する方向に変位して該吸着解除位置とするようになっている
請求項１又は２に記載のドア。
【請求項４】
該第２磁気吸着部材変位装置は、該第２磁気吸着部材を、該ハンドルを介して回転される該ハンドル軸に連動して該吸着位置と該吸着解除位置との間で変位するようにされている請求項３に記載のドア。
【請求項５】
該ドア本体用ラッチボルトと該減圧パネル用ラッチボルトとは、該ハンドルを介して回転される該ハンドル軸に連動し同期して該ドア施錠位置から該ドア解錠位置に、該パネル施錠位置から該パネル解錠位置に向けて変位されるが、該ドア本体用ラッチボルトは該減圧パネル用ラッチボルトが該パネル解錠位置となった後に該ドア解錠位置とされるようになされており、
該第２磁気吸着部材は、該減圧パネル用ラッチボルトの該パネル解錠位置と該パネル施錠位置にそれぞれ同期して該吸着解除位置と該吸着位置との間で変位されるようにされている請求項３又は４に記載のドア。
【請求項６】
該第２吸着部材は、該吸着位置において、該減圧用パネルの該減圧用開口閉鎖位置から該減圧用開口開放位置に面するようにされ、
該第１吸着部材は、該減圧用パネルが該減圧用パネル開放位置にあるときに該減圧用パネル閉鎖位置に面するようにされている請求項３乃至５のいずれか一項に記載のドア。
【請求項７】
該減圧パネル用ラッチボルトと該第２磁気吸着部材が該ドア本体内で上下に離して配置されており、それぞれ該パネル解錠位置及びパネル施錠位置と、該吸着解錠位置及び該吸着位置との間を同期して水平方向で変位されるようにされている請求項３乃至６の何れか一項に記載のドア。
【請求項８】
一方の側縁に沿って垂直に延びる第１軸線を中心に枢動可能とされて、ドア開口を閉じるドア開口閉鎖位置と該ドア開口を開放するドア開口開放位置との間で変位可能とされたドア本体と、
該ドア本体の表面から裏面に貫通するように設けられた減圧用開口内に設けられる減圧用パネルであって、該ドア本体の該一方の側縁に近い側にある第１側縁と該ドア本体の他方の側縁に近い側にある第２側縁とを有し、該第１側縁及び該第２側縁の間において垂直に延びる第２軸線を中心に枢動可能とされ、減圧用開口閉鎖位置と減圧用開口開放位置との間で変位可能に取り付けられている減圧用パネルと、
該ドア本体の該他方の側縁に隣接して該ドア本体内に取り付けられたドアラッチ装置であって、該ドア本体を該表面から裏面に貫通する方向で水平に延びるように取り付けられ、その長手軸線を中心に回転可能とされたハンドル軸と、該ハンドル軸に固定されたハンドルと、該ドア本体が該ドア開口閉鎖位置にあるときに、該ハンドルを介して回転される該ハンドル軸に連動して該本体の該他方の側縁から外側に突出して該ドア開口を画定しているドア開口側縁に設けられているドア施錠用穴に嵌合するドア施錠位置と、該ドア本体内に引き込められたドア解錠位置との間で変位可能とされたドア本体用ラッチボルトとを有するドアラッチ装置と
を有するドアに取り付けられる減圧用パネルラッチ装置であって、
該ドア本体内に設けられ、該減圧用パネルが該減圧用開口閉鎖位置にあるときに、該ハンドル軸の回転に連動して該減圧用パネルの側縁に設けられているパネル施錠用穴に嵌合するパネル施錠位置と、該パネル施錠用穴から引き戻されたパネル解錠位置との間で変位可能とされた減圧パネル用ラッチボルトを有する減圧用パネルラッチ装置。
【請求項９】
該ドアラッチ装置に隣設して該ドア本体内に設けられる支持体を有し、
該減圧パネル用ラッチボルトが、該支持体に支持されて該パネル施錠位置と該パネル解錠位置との間で変位可能とされている請求項８に記載の減圧用パネルラッチ装置。
【請求項１０】
該支持体が、該ハンドル軸の回転に伴って揺動するレバーを支持しており、該レバーが該ハンドルの回転に連動して揺動し、該減圧パネル用ラッチボルトを該パネル施錠位置と該パネル解錠位置との間で変位させる請求項９に記載の減圧用パネルラッチ装置。
【請求項１１】
該ドアラッチ装置に隣接して該ドア本体内に設けられる第１の支持体であって、該ハンドル軸の回転に伴って揺動するレバーを支持する第１の支持体と、
該減圧用開口を画定している開口側縁に隣接して該ドア本体内に設けられる第２の支持体であって、該減圧パネル用ラッチボルトを該パネル施錠位置と該パネル解錠位置との間で変位可能に支持する第２の支持体と
該レバーと該減圧パネル用ラッチボルトとを連接し、該ハンドルの回転に連動して該減圧パネル用ラッチボルトを該パネル施錠位置と該パネル解錠位置との間で変位させる連接手段と、
を備える請求項８に記載の減圧用パネルラッチ装置。
【請求項１２】
該ハンドル軸に固定されて該ドア本体の該表面及び裏面に平行に該ハンドル軸から離れるように延びる揺動部材を更に有し、
該ハンドルの回転が該揺動部材を介して該レバーに伝達されて該レバーが揺動し、該減圧パネル用ラッチボルトを該パネル施錠位置と該パネル解錠位置との間で変位させるようになされている請求項１０又は１１に記載の減圧用パネルラッチ装置。
【請求項１３】
該減圧用開口閉鎖位置よりも該減圧用開口開放位置側にある該減圧用パネルを該減圧用開口閉鎖位置に磁力により吸着するための磁石式吸着装置を更に有し、
該磁石式吸着装置は
支持体によって支持された磁気吸着部材と、
該磁気吸着部材を、該減圧用開口閉鎖位置にある該減圧用パネルの磁気吸着部材に当接吸着する吸着位置と、該減圧用開口閉鎖位置にある該減圧用パネルの該磁気吸着部材から引き離した吸着解除位置との間で変位させる磁気吸着部材変位装置と、
を有し、
該吸着位置においては該磁石式吸着装置の該磁気吸着部材はその磁極面が、該減圧用パネルの磁気吸着部材に当接するようにされており、
該磁気吸着部材変位装置は、該吸着位置にある該磁気吸着部材をその磁極面が該減圧用吸着パネルの磁気吸着部材の磁極面に対して摺動する方向に変位して該吸着解除位置とするようになっている
請求項８乃至１２のいずれか一項に記載の減圧用パネルラッチ装置。
【請求項１４】
該磁気吸着部材変位装置は、該磁石式吸着装置の磁気吸着部材を、該ハンドルを介して回転される該ハンドル軸に連動して該吸着位置と該吸着解除位置との間で変位するようにされている請求項１３に記載の減圧用パネルラッチ装置。
【請求項１５】
該磁石式吸着装置の磁気吸着部材は、該減圧パネル用ラッチボルトの該パネル解錠位置と該パネル施錠位置にそれぞれ同期して該吸着解除位置と該吸着位置との間で変位されるようになされている請求項１３又は１４に記載の減圧用パネルラッチ装置。
【請求項１６】
該磁石式吸着装置の磁気吸着部材は、該吸着位置において、該減圧用パネルの該減圧用開口閉鎖位置から該減圧開口開放位置に面するようにされている請求項１３乃至１５のいずれか一項に記載の減圧用パネルラッチ装置。
【請求項１７】
該減圧パネル用ラッチボルトと該磁石式吸着装置の磁気吸着部材が該支持体内で上下に離して配置されており、それぞれ該パネル解錠位置及びパネル施錠位置と、該吸着解錠位置及び該吸着位置との間を同期して水平方向で変位されるようにされている請求項１３乃至１６のいずれか一項に記載の減圧用支持体。
【発明の詳細な説明】
【技術分野】
【０００１】
本発明は、防火ドアなどに適した開閉可能な減圧用開口を備えたドア及びそのドアに用いられる減圧用パネルラッチ装置に関する。
【背景技術】
【０００２】
防火ドアは、通常は開かれていて出火時にドア開口（通路開口）を閉じる常開型と、通常からドア開口を閉じる位置にあり、出火時にそのドアを開いて避難できるようにした常閉型がある。
【０００３】
防火ドアは、出火時に閉鎖しようとしたり開放しようとしたりするときに、当該防火ドアにかかる空気圧などによりその動きが妨げられることがあり、これを解消するための種々の工夫がされてきている。例えば、特許文献１は、開閉可能な減圧用開口を備えた常閉型防火ドアを開示している。この防火ドアは、減圧用開口を開放することにより、当該ドアの表側面及び裏側面に生じて開放動作の妨げとなる圧力差をなくすようにしている。
【０００４】
より具体的に述べれば、特許文献１に開示された常閉防火ドアは、一方の側縁に沿って垂直に延びる枢軸線を中心に枢動可能とされたドア本体（特許文献１での用語では「防火扉５」）と、該ドア本体の他方の側縁の上下方向中央部分に該他方の側縁から該一方の側縁に向けて延びるように凹まされた形状の減圧用開口（開口部６）と、該減圧用開口を閉じるように設けられて、上記枢軸線と平行に延びる枢軸線を中心に枢動可能とされた減圧用パネル（可動体１０）とを有している。ドア開口（通路３）を閉鎖している状態では、減圧用パネルに設けられているパネル用ラッチ（ラッチ１３）がドア本体に設けられているラッチ穴に嵌合して当該減圧用パネルが閉鎖状態に保持されるとともに、同じく減圧用パネルに設けられているドア本体用ラッチ（ラッチ１２）がドア開口側縁に設けられているラッチ穴に嵌合して当該ドア本体が閉鎖状態に保持されるようになっている。出火時には、減圧用パネルに設けられているハンドル（ドアノブ８）を操作することにより、ドア本体用ラッチ及びパネル用ラッチの両方をそれぞれに対応するラッチ穴から引き抜くようになっており、その状態では減圧用パネルは当該防火ドアの表裏面にかかる圧力の差により開放されるようにされ、それにより同圧力の差がなくなり、当該ドア本体が開放しやすくなるようにしている。
【先行技術文献】
【特許文献】
【０００５】
【特許文献１】特開平７−２５９４０７公報
【発明の概要】
【発明が解決しようとする課題】
【０００６】
このように、特許文献１に開示された防火ドアでは、ハンドル、ドア本体用ラッチ、パネル用ラッチ等からなるラッチ装置がドア本体に対して枢動する減圧用パネルに取り付けられており、ドア本体を開放しようとするときには、ラッチ装置の設けられている減圧用パネルは開放状態（すなわち、ドア本体に対して斜めに角度がつけられた状態）とされている。特許文献１の記載によれば、この状態において「防火扉５を押すなどして外部に非難できる」（[００２４]最下行）としており、ドア本体（防火扉５）を開放するのに、ドア本体に対して角度が付けられた減圧用パネルやそれに設けられているハンドルをもって行うのではなくドア本体を押して行うようになっている。
【０００７】
本発明は、ラッチ装置をドア本体に設けることにより当該ドア本体の開放操作がよりやりやすいようにすることを目的とする。
【課題を解決するための手段】
【０００８】
すなわち、本発明は、
一方の側縁に沿って垂直に延びる第１軸線を中心に枢動可能とされて、ドア開口閉鎖位置とドア開口開放位置との間で変位可能とされたドア本体と、
該ドア本体の表面から裏面に貫通するように設けられた減圧用開口内に設けられる減圧用パネルであって、該ドア本体の該一方の側縁に近い側にある第１側縁と該ドア本体の他方の側縁に近い側にある第２側縁とを有し、該第１側縁及び該第２側縁の間において垂直に延びる第２軸線を中心に枢動可能とされ、減圧用開口閉鎖位置と減圧用開口開放位置との間で変位可能に取り付けられている減圧用パネルと、
該ドア本体の該他方の側縁に隣接して該ドア本体内に取り付けられたドアラッチ装置であって、該ドア本体を該表面から裏面に貫通する方向で水平に延びるように取り付けられ、その長手軸線を中心に回転可能とされたハンドル軸と、該ハンドル軸に固定されたハンドルと、該ドア本体が該ドア開口閉鎖位置にあるときに、該ハンドルを介して回転される該ハンドル軸に連動して該ドア本体の該他方の側縁から外側に突出して該ドア開口を画定しているドア開口側縁に設けられているドア施錠用穴に嵌合するドア施錠位置と、該ドア本体内に引き込められたドア解錠位置との間で変位可能とされたドア本体用ラッチボルトとを有するドアラッチ装置と、
該減圧用パネルが該減圧用開口閉鎖位置にあるときに、該ハンドル軸の回転に連動して該減圧用パネルの側縁に設けられているパネル施錠用穴に嵌合するパネル施錠位置と、該パネル施錠用穴から引き戻されたパネル解錠位置との間で変位可能とされた減圧パネル用ラッチボルトと、
を有する、開閉可能の減圧用開口を備えたドアを提供する。
ここでハンドルとはノブやレバーなどの形式のラッチ操作用の取っ手を意味する。
【０００９】
本発明にかかるドアでは、ドア本体に設けられたドアラッチ装置のハンドルを操作することにより減圧パネル用ラッチボルトをパネル解錠位置とパネル施錠位置との間で変位させるようにするとともに、ドア本体用ラッチボルトをドア解錠位置とドア施錠位置との間で変位するようにしているので、ドア本体用ラッチボルトがドア解錠位置とされた状態でのドア本体をドア開口閉鎖位置とドア開口開放位置との間で変位するときに、当該ドア本体に対して傾斜する減圧用パネルに関係なくハンドルをもって行うことができる。
【００１０】
具体的には、
該ハンドル軸に固定されて該ドア本体の該表面及び裏面に平行に該ハンドル軸から離れるように延びる揺動部材を更に有し、
該減圧パネル用ラッチボルトは、該減圧用パネルが該減圧用開口閉鎖位置にあるときに、該ハンドル軸を中心とする該揺動部材の揺動に連動して該パネル施錠位置と、該パネル解錠位置との間で変位可能とすることができる。
【００１１】
このドアにおいては、
該減圧用開口閉鎖位置よりも該減圧用開口開放位置側にある該減圧用パネルを該減圧用開口閉鎖位置に磁力により吸着するための磁石式吸着装置を更に有し、
該磁石式吸着装置は
該減圧用パネルの第２側縁に設けられた第１磁気吸着部材と、
該ドア本体によって支持された第２磁気吸着部材と、
該第２磁気吸着部材を、該減圧用開口閉鎖位置にある該減圧用パネルの該第１磁気吸着部材に当接吸着する吸着位置と、該減圧用開口閉鎖位置にある該減圧用パネルの当該第１磁気吸着部材から引き離した吸着解除位置との間で変位させる第２磁気吸着部材変位装置と、
を有し、
該吸着位置においては該第１及び第２磁気吸着部材がそれぞれの磁極面が当接するようにされており、
該第２磁気吸着部材変位装置は、該吸着位置にある第２磁気吸着部材をその磁極面が第１磁気吸着部材の磁極面に対して摺動する方向に変位して該吸着解除位置とするようにすることができる。
【００１２】
上記ドアにおいては、ドア本体がドア開口閉鎖位置にあるときに減圧用パネルも減圧用開口閉鎖位置に戻ることが求められるが、当該減圧用パネルの表裏面に差圧がかかるなどして減圧用開口閉鎖位置に戻ることが妨げられる虞がある。磁気吸着部材変位装置はそのような場合にも磁力によって減圧用パネルを減圧用開口閉鎖位置に戻すことを可能にするものである。第２磁気吸着部材変位装置は、吸着位置にある第２磁気吸着部材を吸着解除位置にするときに、第２磁気吸着部材の磁極面が第１磁気吸着部材の磁極面に対して摺動する方向に変位させるようにすることにより第１磁気吸着部材からの変位を容易に行えるようにしている。なお、第１及び第２磁気吸着部材は磁力により相互に吸着作用を生じるものを意味し、例えばそれらの両方を永久磁石とすることも、一方を永久磁石として他方を鉄などの磁性材とすることができる。永久磁石と磁性材とが磁気吸着関係にあるときには、通常は磁極をもたない磁性材であっても磁極をもつことになる。
【００１３】
具体的には、該第２磁気吸着部材変位装置は、該第２磁気吸着部材を、該ハンドルを介して回転される該ハンドル軸に連動して該吸着位置と該吸着解除位置との間で変位するようにすることができる。
【００１４】
また、該ドア本体用ラッチボルトと該減圧パネル用ラッチボルトとは、該ハンドルを介して回転される該ハンドル軸に連動し同期して該ドア施錠位置から該ドア解錠位置に変位され、該パネル施錠位置から該パネル解錠位置に変位されるが、該ドア本体用ラッチボルトは該減圧パネル用ラッチボルトが該パネル解錠位置となった後に該ドア解錠位置とされるようになされており、該第２磁気吸着部材は、該減圧パネル用ラッチボルトの該パネル解錠位置と該パネル施錠位置にそれぞれ同期して該吸着解除位置と該吸着位置との間で変位されるようにすることができる。
【００１５】
更に、該第２吸着部材は、該吸着位置において、該減圧用パネルの該減圧用開口閉鎖位置から該減圧開口開放位置に面するようにされ、
該第１吸着部材は、該減圧用パネルが該減圧用パネル開放位置にあるときに該減圧用パネル閉鎖位置に面するようにすることができる。
【００１６】
また、該減圧パネル用ラッチボルトと該第２磁気吸着部材が該ドア本体内で上下に離して配置されており、それぞれ、該パネル解錠位置及びパネル施錠位置と、該吸着解除位置及び該吸着位置との間を同期して水平方向で変位されるようにすることができる。
【００１７】
本発明ではまた、
一方の側縁に沿って垂直に延びる第１軸線を中心に枢動可能とされて、ドア開口を閉じるドア開口閉鎖位置と該ドア開口を開放するドア開口開放位置との間で変位可能とされたドア本体と、
該ドア本体の表面から裏面に貫通するように設けられた減圧用開口内に設けられる減圧用パネルであって、該ドア本体の該一方の側縁に近い側にある第１側縁と該ドア本体の他方の側縁に近い側にある第２側縁とを有し、該第１側縁及び該第２側縁の間において垂直に延びる第２軸線を中心に枢動可能とされ、減圧用開口閉鎖位置と減圧用開口開放位置との間で変位可能に取り付けられている減圧用パネルと、
該ドア本体の該他方の側縁に隣接して該ドア本体内に取り付けられたドアラッチ装置であって、該ドア本体を該表面から裏面に貫通する方向で水平に延びるように取り付けられ、その長手軸線を中心に回転可能とされたハンドル軸と、該ハンドル軸に固定されたハンドルと、該ドア本体が該ドア開口閉鎖位置にあるときに、該ハンドルを介して回転される該ハンドル軸に連動して該本体の該他方の側縁から外側に突出して該ドア開口を画定しているドア開口側縁に設けられているドア施錠用穴に嵌合するドア施錠位置と、該ドア本体内に引き込められたドア解錠位置との間で変位可能とされたドア本体用ラッチボルトとを有するドアラッチ装置と
を有するドアに取り付けられる減圧用パネルラッチ装置であって、
該ドア本体内に設けられ、該減圧用パネルが該減圧用開口閉鎖位置にあるときに、該ハンドル軸の回転に連動して該減圧用パネルの側縁に設けられているパネル施錠用穴に嵌合するパネル施錠位置と、該パネル施錠用穴から引き戻されたパネル解錠位置との間で変位可能とされた減圧パネル用ラッチボルトを有する減圧用パネルラッチ装置を提供する。
【００１８】
この減圧用パネルラッチ装置は、上述した減圧用パネルを備えるドアを構成するエレメントとして用意されるものであり、必要に応じてドア本体に取り付けられるようにするものである。
【００１９】
具体的には、
該ドアラッチ装置に隣設して該ドア本体内に設けられる支持体を有し、
該減圧パネル用ラッチボルトが、該支持体に支持されて該パネル施錠位置と該パネル解錠位置との間で変位可能とすることができる。
【００２０】
この場合、該支持体が、該ハンドル軸の回転に伴って揺動するレバーを支持しており、該レバーが該ハンドルの回転に連動して揺動し、該減圧パネル用ラッチボルトを該パネル施錠位置と該パネル解錠位置との間で変位させるようにすることができる。
【００２１】
別の形態としては、当該減圧用パネルラッチ装置は、
該ドアラッチ装置に隣接して該ドア本体内に設けられる第１の支持体であって、該ハンドル軸の回転に伴って揺動するレバーを支持する第１の支持体と、
該減圧用開口を画定している開口側縁に隣接して該ドア本体内に設けられる第２の支持体であって、該減圧パネル用ラッチボルトを該パネル施錠位置と該パネル解錠位置との間で変位可能に支持する第２の支持体と
該レバーと該減圧パネル用ラッチボルトとを連接し、該ハンドルの回転に連動して該減圧パネル用ラッチボルトを該パネル施錠位置と該パネル解錠位置との間で変位させる連接手段と、
を備えるようにすることもできる。
【００２２】
また、当該減圧用パネルラッチ装置は、
該ハンドル軸に固定されて該ドア本体の該表面及び裏面に平行に該ハンドル軸から離れるように延びる揺動部材を更に有し、
該ハンドルの回転が該揺動部材を介して該レバーに伝達されて該レバーが揺動し、該減圧パネル用ラッチボルトを該パネル施錠位置と該パネル解錠位置との間で変位させるようにすることができる。
【００２３】
当該減圧用パネルラッチ装置は、
該減圧用開口閉鎖位置よりも該減圧用開口開放位置側にある該減圧用パネルを該減圧用開口閉鎖位置に磁力により吸着するための磁石式吸着装置を更に有し、
該磁石式吸着装置は
支持体によって支持された磁気吸着部材と、
該磁気吸着部材を、該減圧用開口閉鎖位置にある該減圧用パネルの磁気吸着部材に当接吸着する吸着位置と、該減圧用開口閉鎖位置にある該減圧用パネルの該磁気吸着部材から引き離した吸着解除位置との間で変位させる磁気吸着部材変位装置と、
を有し、
該吸着位置においては該磁石式吸着装置の該磁気吸着部材はその磁極面が、該減圧用パネルの磁気吸着部材に当接するようにされており、
該磁気吸着部材変位装置は、該吸着位置にある該磁気吸着部材をその磁極面が該減圧用吸着パネルの磁気吸着部材の磁極面に対して摺動する方向に変位して該吸着解除位置とするようにすることができる。
【００２４】
該磁気吸着部材変位装置は、該磁石式吸着装置の磁気吸着部材を、該ハンドルを介して回転される該ハンドル軸に連動して該吸着位置と該吸着解除位置との間で変位するようにすることができる。
【００２５】
また、該磁石式吸着装置の磁気吸着部材は、該減圧パネル用ラッチボルトの該パネル解錠位置と該パネル施錠位置にそれぞれ同期して該吸着解除位置と該吸着位置との間で変位されるようにすることができる。
【００２６】
更に、該磁石式吸着装置の吸着部材は、該吸着位置において、該減圧用パネルの該減圧用開口閉鎖位置から該減圧開口開放位置に面するようにすることができる。
【００２７】
該減圧パネル用ラッチボルトと該磁石式吸着装置の磁気吸着部材が該支持体内で上下に離して配置されており、それぞれ該パネル解錠位置及びパネル施錠位置と、該吸着解錠位置及び該吸着位置との間を同期して水平方向で変位されるようにすることができる。
【００２８】
以下、本発明に係る開閉可能な減圧用開口を備えたドアの実施形態を添付図面に基づき説明する。
【図面の簡単な説明】
【００２９】
【図１】本発明に係るドアの正面図であり、常閉防火ドアとして使用した例を示している。
【図２】図１の常閉防火ドアの開閉動作及び同ドアに設けられた減圧用パネルの開閉動作を示すための概要図である。
【図３】図１の常閉防火ドアに組み込まれた減圧パネル用ラッチ装置を示す図であり、減圧パネル用ラッチボルト及び磁気吸着部材が減圧用パネルに係合している状態を示す。
【図４】図３と同様の図であり、ハンドルの回動操作により減圧パネル用ラッチボルト及び磁気吸着部材が減圧用パネルから引き抜かれ、それと共にドア本体用ラッチボルトがドア施錠位置からドア解錠位置に向けて僅かに動かされた状態を示す。
【図５】図４と同様の図であり、ハンドルが更に回動されてドア本体用ラッチボルトがドア解錠位置とされた状態を示す。
【図６】図４や図５と同じ状態にあるときの磁石式吸着装置の状態を示す図である。
【図７】減圧用パネルが図６の状態からドア本体に対して回動し減圧用開口が開放されたときの磁石式吸着装置の状態を示す図である。
【図８】図７の状態にある減圧用パネルの磁気吸着部材を吸着するための磁気吸着部材が吸着位置に変位された状態を示す図である。
【図９】磁石式吸着装置の磁気吸着部材が相互に吸着して減圧用パネルが減圧用開口閉鎖位置になった状態を示す図である。
【図１０】本発明に係るドアに組み込まれるラッチ装置の他の実施形態を示す図である。
【図１１】本発明に係るドアの更に別の実施形態を示す図１と同様の図である。
【発明を実施するための形態】
【００３０】
図１に示す常閉防火ドアとして用いた本発明に係るドア１０は、例えば図で見て紙面手前側の部屋と紙面裏側の廊下との間に設けられたドア開口（通路開口）１２を通常は閉鎖するように設定される。ドア１０は図で見て右側の側縁１４に沿って垂直に延びる第１軸線１６を中心に枢動可能とされて、図２で見て水平とされたドア開口閉鎖位置と同図で垂直とされたドア開口開放位置との間で変位可能とされたドア本体１８と、ドア本体１８の表面から裏面に貫通するように設けられた減圧用開口２０内に設けられる減圧用パネル２２とを有している。この減圧用パネル２２は、左右の第１側縁２２ａ、第２側縁２２ｂの間において垂直に延びる第２軸線２４を中心に枢動可能とされ、図２に示すように減圧用開口閉鎖位置と減圧用開口開放位置との間で変位可能にされている。詳細は省略するが、第１軸線１６に沿ってクローザ付きのヒンジ装置が設けられており、ドア開口閉鎖位置からドア開口開放位置に向けて枢動されたドア本体１８は、ドア開口閉鎖位置に向けて付勢されるようになっている。また、減圧用パネル２２も第２軸線２４に沿った上下端にクローザ付きのヒンジ装置が設けられており、減圧用開口開放位置から減圧用開口閉鎖位置に向かう方向で付勢されるようになっている。また、ドア本体１８も減圧用パネル２２も、表側及び裏側の鉄板を備えた中空の作りとなっており、減圧用パネル２２が図１に示す減圧用開口閉鎖位置にあるときは、ドア本体１８及び減圧用パネル２２の表面及び裏面はそれぞれ面一になるようにされている。
【００３１】
ドア本体１８の内部にはその左側の側縁１２ａに隣接してドアラッチ装置２６が設けられている。このドアラッチ装置２６は、ドア本体１８を表面から裏面に貫通し水平に延びるハンドル軸２８（図２）の端部に取り付けられたハンドル３０を回動することによりドア開口１２の側縁に設けられているドア施錠用穴（図示せず）に嵌合・嵌合解除されるドア本体用ラッチボルト３２を有している。ハンドル３０とドア本体用ラッチボルト３２との機能的接続関係は種々のものがよく知られているので、この実施形態ではその詳細な説明は省略する。尚、図２において、減圧用パネル２２が枢動して、減圧用パネル２２の第２軸線２４の左側の部分が、ドア２０に対して、下側に突出しているが、減圧用パネル２２の第２軸線２４の右側の部分が、ドア２０に対して、下側に突出するようにしてもよい。その場合、ハンドル３０を回動操作する人は、ドア１０を開扉しやすくなるという利点がある。
【００３２】
図３乃至図５には、図１に示されたドア１０のドア本体１８内に設けられ、ハンドル３０の回動操作により回動されるハンドル軸２８に連動して減圧用パネル２２をドア本体１８に対し施錠・施錠解除するための減圧パネル用ラッチ装置３４が示されている。この減圧パネル用ラッチ装置３４は平たいケース状に形成された支持体３６と、ハンドル軸２８に固定されドア本体１８の表面及び裏面に平行にハンドル軸２８から離れるように延びるようにされる揺動部材３８と、減圧用パネル２２が減圧用開口閉鎖位置にあるときに、ハンドル軸２８を中心とする揺動部材３８の揺動に連動して減圧用パネル２２の第２側縁２２ｂに設けられているパネル施錠用穴４０に嵌合するパネル施錠位置（図３）と、パネル施錠用穴４０から引き戻されたパネル解錠位置（図５）との間で変位可能とされた減圧パネル用ラッチボルト４２とを有し、図示の実施例では更に、減圧用開口閉鎖位置よりも該減圧用開口開放位置側にある減圧用パネル２２を減圧用開口閉鎖位置に磁力により吸着するための磁石式吸着装置４４を有している。
【００３３】
この実施形態では、揺動部材３８はハンドル軸２８の両端近くに取り付けられて支持体３６の表面及び裏面に沿って相互に平行に延びる一対の揺動部材３８から構成されている。揺動部材３８には図示のように、ハンドル軸２８の近くには円弧状のガイド孔４６が設けられており、ハンドル軸２８をドア本体１８に取り付けるために用いられている一対の固定軸４８のうちの一方を受け入れて、この固定軸４８に沿ってハンドル軸２８を中心に回動するようになっている。また、一対の揺動部材３８の間には、支持体３６に設けられた円弧状のガイド孔３６ａ、３６ｂを通して延びる第１及び第２連結軸５０、５２が、当該揺動部材３８の長さ方向中間と先端に設けられている。第１連結軸５０には一端が支持体３６に固定された捩りバネ５４の他端が係合されており、揺動部材３８を図３に示すラッチ作動位置に向けて反時計方向に付勢されている。第２連結軸５２は、支持体３６に枢着されて捩りバネ５５により時計方向に付勢されている二股レバー５６と係合しており、揺動部材３８が回動されたときに該二股レバー５６を枢動して減圧パネル用ラッチ４２及び磁石式吸着装置４４の磁気吸着部材（図示の例では永久磁石）５８を作動させるようになっている。
【００３４】
減圧パネル用ラッチボルト４２は、汎用のドアラッチボルトと同様に、減圧用パネル２２の開閉方向での一方の面は傾斜面、他方の面は平面とされた先細りの形状とされており、減圧用パネル２２が減圧用開口開放位置から減圧用開口閉鎖位置に戻るのを許容するが、その逆の動きは阻止するようになっている。この減圧パネル用ラッチボルト４２は図示しないバネにより図３に示すパネル施錠位置に付勢されており、ハンドル３０を回動することにより揺動部材３８を時計方向に回動し、それにより二股レバー５６を反時計方向に回動させて二股レバー５６の一方のレバー５６ａの中間部に設けられた第１係合部６０が減圧パネル用ラッチボルト４２のラッチボルト支持体６２を左側に変位し、減圧パネル用ラッチボルト４２を図３の減圧用パネル２２のパネル施錠用穴４０から抜き出し図４に示すパネル解錠位置となるようにしている。
【００３５】
本実施形態においては揺動部材３８が図３の位置から図５の位置まで揺動可能とされている。揺動部材３８が図４の位置にあるときには減圧パネル用ラッチボルト４２はパネル解錠位置、磁気吸着部材５８は吸着解除位置とされているが、ドア本体用ラッチボルト３２はドア施錠位置にある。すなわち、出火時にハンドル３０を通常位置からある程度回動操作して図４に示す状態とされたときには、ドア本体１８はドア本体用ラッチボルト３２によりドア開口閉鎖位置に施錠された状態にあるが、減圧用パネル２２は減圧パネル用ラッチボルト４２がパネル解除位置、磁気吸着部材５８が吸着解除位置となりドア本体に対して枢動可能な状態となる。従って、この状態においてドア１０に図２に矢印で示すような圧力がかかっており、その圧力による回転力が、上述した当該減圧用パネル２２のクローザ付きヒンジ装置による図２で見て時計方向の付勢力よりも大きなものになった場合には、図４の状態で、減圧用パネル２２は減圧用開口開放位置に向けて枢動されることになり、その後のドア本体１８の開扉作業が楽に行えるようになる。図示の実施形態においては、減圧用パネル２２の枢動のための軸線２４は減圧用パネル２２の幅方向の略中央位置にあり、上述したような圧力による回転力は略生じないようになっているが、上記のような圧力が加わっている状態でドア本体をドア開口開放位置に向けて枢動（図２で見て時計方向に枢動）した場合、減圧用パネル２２の慣性及び同圧力によりドア本体１８に対して反時計方向に枢動して減圧用開口２０を開放するようになる。揺動部材３８が図５に示す位置まで変位された状態では、ドア本体用ラッチボルト３２もドア解錠位置とされて、ドア本体１８をドア開口開放位置に向けて動かすことが可能となる。
【００３６】
磁石式吸着装置４４は、磁気吸着部材５８と、磁気吸着部材５８を支持体３６に対して水平方向で可動に支持する磁気吸着部材支持部材６６と、図３に示す吸着位置と、図４に示す吸着解除位置との間で変位させる磁気吸着部材変位装置とを備えている。この磁気吸着部材変位装置は、図示の例では、ハンドル３０により上述のように回動操作される揺動部材３８及び二股レバー５６から構成され、二股レバー５６の回動に伴い二股レバー５６の先端に設けられた第２係合部６１を介して磁気吸着部材支持部材６６を吸着位置と吸着解除位置の間で変位するようになっている。この磁石式吸着装置４４は、図６乃至図９に示すように、減圧用パネル２２の第２側縁２２ｂに設けられた磁気吸着部材６７を備えており、この磁気吸着部材６７は、減圧用パネル２２が減圧用開口閉鎖位置にあり且つ磁気吸着部材５８が吸着位置（図３、図９）にあるときに、磁気吸着部材５８に磁気吸着されるようになっている。
【００３７】
図６には、磁石式吸着装置４４が図４に示す状態あるときのドア１０を示している。すなわち、磁気吸着部材５８は吸着解除位置にあり、減圧用パネル２２に設けられた磁気吸着部材６７から離された状態にある。このとき、減圧パネル用ラッチボルト４２も同期してパネル施錠用穴４０から引き抜かれており、減圧用パネル２２は減圧用開口閉鎖位置（図６）から減圧用開口開放位置（図７）となることが可能とされている。図８は、減圧用パネル２２が図７に示す減圧用開口開放位置となった後に、ハンドル３０をもとの通常位置に戻し、磁気吸着部材５８が吸着位置に戻った状態を示す。この状態では、磁気吸着部材５８が減圧用パネル２２に設けられている磁気吸着部材６７に面し、この磁気吸着部材６７を吸着する作用を生じるようになる。
【００３８】
図９は、磁気吸着部材５８、６７が相互に磁気吸着されている状態を示しており、このとき減圧パネル用ラッチボルト４２は図３に示すようにパネル施錠用穴４０に嵌合された状態となっている。このとき、磁気吸着部材５８、６７は相互に異なる極性の磁極面で当接され相互に吸着されているが、この状態でハンドル３０を回動すると、図４及び図５に示されるように、減圧パネル用ラッチボルト４２がパネル解錠位置に変位され、磁気吸着部材５８が磁気吸着部材６７の磁極面に対して摺動するように変位されて吸着解除位置となるようにされている。磁気吸着部材５８のこのような動きは、磁極面相互間の磁束を切る方向での動きとなり、磁極面を垂直に離す場合に比べて大幅に小さな力で磁気吸着部材５８を変位することが可能となる。
【００３９】
図１０は、本発明に係るドアで用いられるドア本体２０及び減圧用パネル２２の施錠、解錠に用いるラッチ装置の他の実施形態を示している。このラッチ装置は、ドア本体１８内部に固定される平たいケース状に形成された支持体７０に取り付けられたドア本体用ラッチボルト３２、減圧パネル用ラッチボルト４２、ハンドル軸２８、ハンドル３０、ドア本体用ラッチボルト３２を図示のドア施錠位置に付勢する圧縮バネ７２、減圧パネル用ラッチボルト４２を図示のパネル施錠位置に付勢する圧縮バネ７４、ハンドル軸２８から半径方向に延びてドア施錠位置にあるドア本体用ラッチボルト３２及びパネル施錠位置にある減圧パネル用ラッチボルト４２と係合し、ハンドル３０の回動操作により圧縮バネ７２、７４に抗してそれぞれドア解錠位置及びパネル解錠位置に変位させる揺動部材３８とを備えている。
【００４０】
図１１には、図１に示すものと同様にドア本体１８及び該ドア本体１８の減圧用開口２０の開閉を行うための減圧用パネル２２を備える本発明に係るドア１０の他の実施形態を示している。このドア１０は図１のものと同様にドアラッチ装置２６を備え、図示しないハンドルの回動操作によりハンドル軸２８を回動してドア本体用ラッチボルト３２を操作するようになっている。その操作機構は種々のものが広く知られているので詳細は省略する。
【００４１】
図１１に示すドア１０は、図１に示すドア同様に減圧パネル用ラッチ装置３４を有するが、その具体的構成は以下の通りである。すなわち、この減圧パネル用ラッチ装置３４は、ドアラッチ装置２６に隣接してドア本体１８内に設けられた平たいケース状に形成された第１の支持体３６（１）であって、ハンドル軸２８に固定されている揺動部材３８の回動に伴って揺動する二股レバー５６を支持する第１の支持体３６（１）と、減圧用開口２０の側縁（図示の例では下側の側縁）に隣接してドア本体１８内に設けられる平たいケース状に形成された第２の支持体３６（２）であって、減圧パネル用ラッチボルト４２を支持する第２の支持体３６（２）と、二股レバー５６と減圧パネル用ラッチボルト４２とを連接し、ハンドル３０の回動に連動して減圧パネル用ラッチボルト４２を(図示の)パネル施錠位置と（図示の位置より下方に引き下げられた）パネル解錠位置との間で変位させる連接手段８０とを有している。図示の例では、連接手段８０は、一端が二股レバー５６の一端に連結され、他端が第２支持体３６（２）に枢着された二股レバー８２の一端に接続されてプーリー８４、８４を介してこれら二股レバー５６、８２間に張接されたたケーブル８０を有し、ハンドル３０が回動されてハンドル軸２８が回動されと、二股レバー５６及びケーブル８０を介して二股レバー８２を揺動させ、それによって通常はコイルバネ８６によりパネル施錠位置に付勢されている減圧パネル用ラッチボルト４２をこのパネル施錠位置とパネル解錠位置との間で変位させるように構成されている。
【００４２】
本発明に係るドア及びそれに用いられている減圧パネル用ラッチ装置は上述の通りであり、ドア開口閉鎖位置にあるドア１０をドア開口開放位置にするためには、いずれの実施形態においても、ハンドル３０を回動してドア本体用ラッチボルト３２及び減圧パネル用ラッチボルト４２をそれぞれの解錠位置にして、ハンドル３０を介して当該ドアを開放することができる。このとき、減圧用パネル２２が回動されて減圧用開口２０を開放する状態となったとしても、ハンドル３０はドア本体１８側にあるので、そのような減圧用パネル２２の回動位置とは関係なくハンドル３０を持ってドア１０の回動操作を行うことが可能となる。また、ドア本体１８がドア開口閉鎖位置になった状態でも、激しい空気流によって減圧用パネル２２が減圧用開口閉鎖位置に完全に戻るのが阻止されるような状況も生じる虞があるが、本発明では磁気吸着装置４４によりそのような問題を解消することを可能としている。
【００４３】
以上、本発明の実施形態を説明したが本発明はこれらに限定されるものではない。例えば、本発明に係るドアは必ずしも防火ドアに限られることはなく、また以上で説明したような常閉防火ドアではなく、常開防火ドアへの適用も可能である。
【符号の説明】
【００４４】
ドア１０
ドア開口１２
一方の側縁１４
第１軸線１６
ドア本体１８
減圧用開口２０
減圧用パネル２２
第１側縁２２ａ
第２側縁２２ｂ
第２軸線２４
ドアラッチ装置２６
ハンドル軸２８
ハンドル３０
ドア本体用ラッチボルト３２
減圧パネル用ラッチ装置３４
支持体３６
ガイド孔３６ａ、３６ｂ
第１の支持体３６（１）
第２の支持体３６（２）
揺動部材３８
パネル施錠用穴４０
減圧パネル用ラッチボルト４２
磁石式吸着装置４４
ガイド孔４６
固定軸４８
第１連結軸５０
第２連結軸５２
捩りバネ５４
捩りバネ５５
二股レバー５６
レバー５６ａ
磁気吸着部材５８
第１係合部６０
第２係合部６１
ラッチボルト支持体６２
磁気吸着部材６７
磁気吸着部材支持部材６６
ラッチ装置本体７０
圧縮バネ７２、７４
連接手段（ケーブル）８０
二股レバー８２
プーリー８４
付勢部材（コイルスプリング）８６
【図１】
2019044576.tif 000003
【図２】
2019044576.tif 000004
【図３】
2019044576.tif 000005
【図４】
2019044576.tif 000006
【図５】
2019044576.tif 000007
【図６】
2019044576.tif 000008
【図７】
2019044576.tif 000009
【図８】
2019044576.tif 000010
【図９】
2019044576.tif 000011
【図１０】
2019044576.tif 000012
【図１１】
2019044576.tif 000013